(57)【要約】【課題】床部の通気口を通過する空気量の増大化を阻害し難い構成の風量調節部を備えた床パネルを提供することを課題とする。【解決手段】床上と床下とを連通する通気口１１ａ，１１ａ，…が形成された床部１１と、この床部１１の下側に突設された複数条のリブ１２，１２，…と、通気口１１ａを挟んで対向する一対のリブ１２，１２間に配置された風量調節部２と、を備える床パネルＰであって、風量調節部２は、床面に沿う方向に延びる軸線Ｃを中心に傾動可能な一対の羽板２１，２２を具備しており、羽板２１，２２を起立させたときに全開状態となり、羽板２１，２２を傾倒させたときに全閉状態となることを特徴とする。【選択図】図３
2009007855.tif 000002
【特許請求の範囲】
【請求項１】
床上と床下とを連通する通気口が形成された床部と、
前記床部の下側に突設された複数条のリブと、
前記通気口を挟んで対向する一対の前記リブ間に配置された風量調節部と、を備える床パネルであって、
前記風量調節部は、床面に沿う方向に延びる軸線を中心に傾動可能な一対の羽板を具備しており、前記両羽板を起立させたときに全開状態となり、前記両羽板を傾倒させたときに全閉状態となることを特徴とする床パネル。
【請求項２】
前記風量調節部は、前記両羽板が前記通気口を挟んで対向したときに全開状態となることを特徴とする請求項１に記載の床パネル。
【請求項３】
前記風量調節部は、前記両羽板同士が接触したときに全閉状態となることを特徴とする請求項１又は請求項２に記載の床パネル。
【請求項４】
前記羽板は、これを起立させた際の下端部を中心に傾動するように構成されていることを特徴とする請求項１乃至請求項３のいずれか一項に記載の床パネル。
【請求項５】
床上と床下とを連通する通気口が形成された床部と、
前記床部の下側に突設された複数条のリブと、
前記通気口を挟んで対向する一対の前記リブ間に配置された風量調節部と、を備える床パネルであって、
前記風量調節部は、床面に沿う方向に延びる軸線を中心に傾動可能な羽板を具備しており、前記羽板を起立させたときに全開状態となり、前記羽板を傾倒させたときに全閉状態となることを特徴とする床パネル。
【請求項６】
床上と床下とを連通する通気口が形成された床部と、
前記通気口の下側に配置された風量調節部と、を備える床パネルであって、
前記風量調節部は、床面に沿う方向に延びる軸線を中心に傾動可能な羽板を具備しており、前記羽板を起立させたときに全開状態となり、前記羽板を傾倒させたときに全閉状態となることを特徴とする床パネル。
【請求項７】
床上と床下とを連通する通気口が形成された床部と、
前記通気口の下側に配置された複数の風量調節部と、を備える床パネルであって、
前記各風量調節部は、床面に沿う方向に延びる軸線を中心に傾動可能な羽板を具備しており、前記羽板を起立させたときに全開状態となり、前記羽板を傾倒させたときに全閉状態となり、
複数の前記羽板は、連動して傾動するように構成されていることを特徴とする床パネル。
【請求項８】
床上と床下とを連通する通気口が形成された床部と、
前記通気口の下側に配置された複数の風量調節部と、を備える床パネルであって、
前記各風量調節部は、床面に沿う方向に延びる軸線を中心に傾動可能な第一羽板および第二羽板を具備しており、前記両羽板を起立させたときに全開状態となり、前記両羽板を傾倒させたときに全閉状態となり、
複数の前記第一羽板は、連動して傾動するように構成されており、
複数の前記第二羽板は、連動して傾動するように構成されていることを特徴とする床パネル。
【発明の詳細な説明】
【技術分野】
【０００１】
本発明は、通気口を有する床パネルに関する。
【背景技術】
【０００２】
通信機器や電算機などが収容されるデータセンターなどにおいては、床スラブの上方に床パネルを敷設して、二重床やフリーアクセスフロアを構築する場合がある。二重床を構築する際に使用される床パネルとしては、床上と床下とを連通する通気口が形成された床部と、この床部の下側に並設された複数条のリブとを備えたものが知られている（例えば、特許文献１参照）。この床パネルによれば、空調機等から床下空間に吹き出された空気を床上空間（室内）に導き入れることが可能となるので、床上空間に設置された通信機器等を効率よく冷却することが可能となる。
【０００３】
また、特許文献２には、通気口が形成された床部と、この床部の下側に突設されたリブとを備える床パネルであって、通気口から吹き出される風量を調節するための風量調節部を具備した床パネルが開示されている。この風量調節部は、床部の下面を覆うように設けた開口部付きの固定プレートと、この固定プレートに重ねられた開口部付きの回動プレートとを具備しており、床面に平行な面内において回動プレートを回動させて固定プレートの開口部の開度を調節することで、床部の通気口を通過する空気量（以下、「通気風量」という。）を調整するものである。特許文献２の床パネルによれば、床上空間の温度や使用状況に応じて通気風量を調整したいというニーズに対応することが可能となる。
【０００４】
【特許文献１】特開２００４−２７８１８６号公報（段落［００２５］、図１０）
【特許文献２】実開平４−９７２４５号公報
【発明の開示】
【発明が解決しようとする課題】
【０００５】
特許文献２の床パネルにおいて、通気風量を増大させるためには、床部の開口率（床面積に占める通気口の開口面積の割合）を増大させるとともに、固定プレートの開口率（固定プレートの表面積に占める開口部の開口面積の割合）を増大させる必要がある。ところが、この床パネルにおいては、固定プレートの開口部と回動プレートの開口部との重なり具合によって風量調節部の開度を調節する必要があるので、固定プレートの開口部を、回動プレートと重ならない領域（すなわち、回動プレートの外周側に位置する領域）に設けることができず、したがって、風量調節部を通過しうる空気量の最大値を、床部の開口率に見合ったものにすることができない場合がある。しかも、固定プレートの開口部以外の部位（板面部分）は、開口部の開度に係わらず常に床部の通気口に覆い被さることになるので、空気の通流を常時阻害する邪魔板となってしまう。つまり、特許文献２の床パネルにおいては、風量調節部の存在によって空気の通流が阻害されてしまうので、通気風量の増大化を図ろうとして通気口の開口面積を増大させたとしても、風量調節部の存在によって通気風量の増大化が阻害される虞がある。
【０００６】
なお、特許文献１の床パネルに特許文献２の風量調節部を組み合わせた場合も、前記した問題が発生する。
【０００７】
そこで、本発明は、床部の通気口を通過する空気量の増大化を阻害し難い構成の風量調節部を備えた床パネルを提供することを課題とする。
【課題を解決するための手段】
【０００８】
このような課題を解決する本発明の床パネルは、床上と床下とを連通する通気口が形成された床部と、前記通気口の下側に配置された風量調節部と、を備える床パネルであって、前記風量調節部は、床面に沿う方向に延びる軸線を中心に傾動可能な羽板を具備しており、前記羽板を起立させたときに全開状態となり、前記羽板を傾倒させたときに全閉状態となることを特徴とする。
【０００９】
本発明の床パネルにおいては、風量調節部の羽板を、床面に沿う方向に延びる軸線を中心として傾動（回動）させることで、床部に設けた通気口を通過する空気量（以下、「通気風量」という。）が調節されることになる。なお、全開状態とは、通気風量が最大となる状態を言い、全閉状態とは通気風量が最小となる状態を言う。
【００１０】
本発明においては、羽板を起立させた状態を風量調節部の全開状態としているが、羽板の全体を起立させれば、羽板が床部の通気口に覆い被さるような状態を避けることができるので、全開状態における空気の通流が良好なものとなり、ひいては、風量調節部を通過しうる空気量の最大値を、床部の開口率（床部の表面積に占める通気口の開口面積の割合）に見合ったものにすることが可能となる。つまり、本発明によれば、全開状態における空気の通流が風量調節部の存在によって阻害され難く、通気風量の増大化を容易に図ることができる。
【００１１】
なお、通気口の下側に複数の風量調節部が配置されている場合（すなわち、複数の羽板が配置されている場合）には、複数の羽板が連動して傾動するような構成とすることが望ましい。このようにすると、複数の羽板を一括して傾動させることが可能となるので、通気風量を簡易迅速に調節することが可能となる。
【００１２】
また、パネル厚さが増大して床下空間が狭くなると、床下空間における空気の通流が悪化し、通気風量の増大化を阻害する虞があるので、床部の下側に複数条のリブが突設されている場合には、通気口を挟んで対向する一対のリブ間に風量調節部を配置するとよい。このようにすると、風量調節部が一対のリブ間に形成された空間に収容されることになるので、風量調節部を設けたことによってパネル厚さが増大することを防止することが可能となり、通気風量の増大化を阻害し難くなる。
【００１３】
一の風量調節部に具備される羽板の枚数に特に制限はないが、一枚とすると、羽板が大型化し、床パネルを構成する他の部材等と干渉する虞があり、三枚以上とすると、羽板の組付け作業が煩雑になる虞があるので、好ましくは、二枚とすることが望ましい。
【００１４】
なお、風量調節部が一対（二枚）の羽板を具備している場合には、両羽板を起立させたときに全開状態となり、両羽板を傾倒させたときに全閉状態となる。
【００１５】
風量調節部が一対の羽板を具備している場合には、両羽板を起立させて全開状態としたときに、両羽板が床部の通気口を挟んで対向するように、各羽板の位置を設定することが望ましい。このようにすると、通気口の直下からずれた位置において羽板が起立するようになるので、全開状態における空気の通流が風量調節部の存在によって阻害されることがない。つまり、床パネルの最大通気風量（風量調節部を全開状態としたときの通気風量）を、風量調節部を具備していない床パネルの通気風量と同程度にすることが可能となる。
【００１６】
また、両羽板を傾倒させて全閉状態としたときに両羽板同士が接触するように、各羽板の位置を設定することが望ましい。このようにすると、全閉状態としたときに、両羽板の間から漏気する空気量を削減することが可能となる。
【００１７】
また、羽板は、これを起立させた際の下端部を中心に傾動するように構成されていることが望ましい。本発明の床パネルにおいては、床部に通気口が設けられているので、床パネル上で作業等をする際に、作業員の足裏や各種工具・部品などが通気口から入り込む虞があるが、起立状態にある羽板の下端部を傾動の中心としておけば、羽板を傾倒させて全閉状態としたときに、羽板の上端部が床部から離間することになるので、通気口から入り込んだ足裏や工具等が羽板に接触することを防止することが可能となる。
【００１８】
なお、通気口の下側に複数の風量調節部が配置されており、かつ、各風量調節部が一対の羽板（第一羽板および第二羽板）を具備している場合には、複数の第一羽板が連動して傾動し、複数の第二羽板が連動して傾動するような構成とすることが望ましい。このようにすると、複数の第一羽板を一括して傾動させることが可能になるとともに、複数の第二羽板を一括して傾動させることが可能になるので、通気風量を簡易迅速に調節することが可能となる。
【発明の効果】
【００１９】
本発明に係る床パネルによると、床部の通気口を通過する空気量の増大化を阻害し難くなる。
【発明を実施するための最良の形態】
【００２０】
以下、本発明を実施するための最良の形態を、添付した図面を参照しつつ詳細に説明する。なお、本実施形態においては、通信機器や電算機などを収容するデータセンターの二重床を構成する床パネルＰを例示するが（図１参照）、床パネルＰの適用範囲を限定する趣旨ではない。
【００２１】
床パネルＰは、床スラブＳ上に並設された架台Ｋ，Ｋ間に架設されるものであり、架台Ｋの長手方向に沿って隙間なく連設されることで、保守点検用の通路を形成している。
【００２２】
図２に示すように、床パネルＰは、パネル本体１と、複数の風量調節部２，２，…と、一対の支持部３，３とを備えて構成されている。
【００２３】
パネル本体１は、床上と床下とを連通する複数の通気口１１ａ，１１ａ，…が形成された床部１１と、この床部１１の下側に突設された複数条（本実施形態では六条）のリブ１２，１２，…と、を備えて構成されている。
【００２４】
床部１１は、床面を構成する部位であり、その外形が平面視長方形（矩形）を呈している。通気口１１ａは、図３の（ｂ）〜（ｄ）に示すように、隣り合うリブ１２，１２間に配置されている。通気口１１ａの形状、個数、配置などは、床部１１の開口率（床面積に占める通気口１１ａの開口面積の割合）が所望のものになるように適宜設定すればよい。本実施形態では、床部１１の開口率が５０％になるように、通気口１１ａの形状、個数、配置などが設定されている。
【００２５】
リブ１２，１２，…は、床部１１の撓みを抑制するものであり、床部１１の短手方向（図３の（ｂ）〜（ｄ）における左右方向）に間隔をあけて並設されている。各リブ１２は、他のリブ１２と平行していて、かつ、床部１１の長手方向（図３の（ｂ）〜（ｄ）において紙面垂直方向）に連続して形成されている。なお、隣り合うリブ１２，１２に挟まれた領域Ｖは、風量調節部２を収納する収納空間Ｖとして利用される。
【００２６】
リブ１２の形態に特に制限はないが、本実施形態のものは、床部１１の下面から垂下する垂下部１２ａと、垂下部１２ａの下端部に設けられた張出部１２ｂとを備えて構成されている。より詳細に説明すると、複数条のリブ１２，１２，…のうち、床部１１の側縁部に位置するリブ１２は、張出部１２ｂが垂下部１２ａの片側（本実施形態では内側）のみに張り出していて、鉛直断面形状が略Ｌ字状を呈しており、その他のリブ１２は、張出部１２ｂが垂下部１２ａの両側に張り出していて、鉛直断面形状が逆Ｔ字状を呈している。
【００２７】
なお、床部１１の側縁部に位置するリブ１２の垂下部１２ａには、外側に開口する取付溝１２ｃが形成されている。取付溝１２ｃは、垂下部１２ａの上端部に形成されており、床部１１の長手方向に連続している。取付溝１２ｃには、隣接する他の床パネルとの間に介設される図示せぬ緩衝材（パッキン）が嵌め込まれる。また、少なくとも一つのリブ１２の垂下部１２ａには、一方の側面に開口する螺入溝１２ｄ（図３の（ｄ）参照）が形成されている。螺入溝１２ｄは、垂下部１２ａの高さ方向の中央部に形成されており、床部１１の長手方向に連続している。螺入溝１２ｄには、支持部３をパネル本体１に固定するためのタッピンねじ３８ｆ（図６参照）が螺入される。
【００２８】
このような形態のパネル本体１は、アルミニウム合金製の押出形材を利用して形成される。すなわち、パネル本体１は、床部１１となる平板部とリブ１２となる複数の突条部とを具備する押出形材を適宜な長さで切断し、平板部の適所に通気口１１ａ，１１ａ，…を形成することで得ることができる。
【００２９】
風量調節部２は、通気口１１ａ，１１ａ，…を通過する空気量（通気風量）を調整するものであり、通気口１１ａの下側に配置されている。風量調節部２は、通気口１１ａを挟んで対向する一対のリブ１２，１２間に配置されている。すなわち、風量調節部２は、床部１１の下側に設けられた収納空間Ｖに収納されている。なお、本実施形態では、複数の収納空間Ｖ，Ｖ，…の各々に風量調節部２が一つずつ収納されている。
【００３０】
風量調節部２は、床面に沿う方向（図３の（ｂ）〜（ｄ）における紙面垂直方向）に延びる軸線Ｃを中心に傾動可能な一対の羽板２１，２２を具備しており、羽板２１，２２の両方を起立させたときに全開状態となり（図３の（ｂ）参照）、羽板２１，２２の一方を起立させ、他方を傾倒させたときに半開状態となり（図３の（ｃ）参照）、羽板２１，２２の両方を傾倒させたときに全閉状態となる（図３の（ｄ）参照）。
【００３１】
なお、羽板２１，２２は、同一形状であるが、両者を区別する場合には、一方の羽板２１を「第一羽板２１」と称し、他方の羽板２２を「第二羽板２２」と称することとする。
【００３２】
本実施形態の羽板２１，２２は、これを起立させた際の下端部（軸線Ｃ）を中心に傾動するように構成されており、起立させた状態の羽板２１，２２を下向きに傾動させて横に倒すと全閉状態になり（図３の（ｄ）参照）、横に倒した羽板２１，２２を上向きに傾動させて起立させると全開状態になる（図３の（ｂ）参照）。
【００３３】
起立させた状態（全開状態）の羽板２１，２２は、図３の（ｂ）に示すように、床部１１の開口縁部１１ｂの真下に位置し、かつ、リブ１２の垂下部１２ａと略平行になる。つまり、羽板２１，２２は、通気口１１ａの真下からずれたところで起立し、通気口１１ａを挟んで対向する。すなわち、第一羽板２１の軸線Ｃと第二羽板２２の軸線Ｃとの離隔距離が、通気口１１ａの開口幅よりも大きくなっていて、羽板２１，２２を起立させると、床部１１の開口縁部１１ｂによって覆い隠され、通気口１１ａの真下に羽板２１，２２が存在しない状態となる（図３の（ａ）参照）。
【００３４】
傾倒させた状態（全閉状態）の羽板２１は、図３の（ｄ）に示すように、通気口１１ａの真下に位置する。また、第一羽板２１の幅寸法（短手方向の寸法）と第二羽板２２の幅寸法の合算値が、第一羽板２１の軸線Ｃと第二羽板２２の軸線Ｃとの離隔距離よりも大きくなっていて、風量調節部２を全閉状態とすべく羽板２１，２２を傾倒させると、逆Ｖ字状に対向し、通気口１１ａの真下において羽板２１，２２の先端部同士が接触する。すなわち、風量調節部２が全閉状態にあるときには、羽板２１，２２によって、通気口１１ａに至る空気の流路が閉塞されることになる。
【００３５】
図４の（ａ）〜（ｄ）を参照して、羽板２１の構成をより詳細に説明する。なお、羽板２２は、羽板２１と同一の構成を具備しているので、その詳細な説明は省略する。
羽板２１は、横長の長方形を呈する平板状の板部２１ａと、この板部２１ａの下端縁に設けられた下軸部２１ｂと、板部２１ａの上端縁に設けられた上軸部２１ｃとを備えて構成されている。下軸部２１ｂは、羽板２１の傾動中心となる部位であり、その外面が円筒面になっている。下軸部２１ｂの長さ寸法は、板部２１ａのそれよりも大きく、下軸部２１ｂの両端部は、板部２１ａの長手方向の端面よりも外側に突出している（図４の（ａ）参照）。なお、板部２１ａの長さ寸法は、パネル本体１（図２参照）の長さ寸法と略等しくなっている。上軸部２１ｃは、下軸部２１ｂと同一の断面形状を具備している。上軸部２１ｃの長さ寸法も、板部２１ａのそれよりも大きくなっているが、上軸部２１ｃについては、その一端部のみが、板部２１ａの長手方向の端面よりも外側に突出している。
【００３６】
このような形態の羽板２１は、アルミニウム合金製の押出形材を利用して形成される。すなわち、羽板２１は、図４の（ｃ）に示す断面形状を具備する押出形材を適宜な長さで切断し、その一方の端部において板部２１ａを切除し、他方の端部において板部２１ａと上軸部２１ｃとを切除することで得ることができる。
【００３７】
図２に示す支持部３は、羽板２１，２２の下軸部２１ｂ，２２ｂに対応する位置に軸受を備えていて、羽板２１，２２を傾動可能に支持した状態でパネル本体１の長手方向の端面に固着される（図３の（ａ）参照）。一方の支持部３には、第一羽板２１，２１，…を連動して傾動させるための連動機構と、第一羽板２１の傾動を規制するストッパ機構とが装備されており、同様に、他方の支持部３には、第二羽板２２，２２，…を連動して傾動させるための連動機構と、第二羽板２２の傾動を規制するストッパ機構とが装備されている。なお、一方の支持部３と他方の支持部３の構成は、同一であるので、以下では、第一羽板２１，２１，…の連動機構を具備する支持部３についてのみ詳細な説明を行なうこととし、図５においては、第二羽板２２を一つだけ図示し、その他の第二羽板２２およびパネル本体１の図示は省略する。
【００３８】
図５に示すように、支持部３は、パネル本体１（図２参照）の長手方向の端面を塞ぐベース３１と、羽板２１，２２の下軸部２１ｂ，２２ｂの端部に取り付けられる軸芯ブッシュ３２，３２，…と、第一羽板２１，２１，…を連結する連結部材３３と、第一羽板２１の上軸部２１ｃの端部に取り付けられる連結ブッシュ３４，３４，…と、連結部材３３の動きを規制するストッパ３５と、このストッパ３５を付勢する付勢部材３６と、ベース３１を覆うカバー３７とを備えて構成されている。
【００３９】
ベース３１は、左右端がカバー３７側に折り曲げられた板状の鋼板からなり、図６に示すように、第一羽板２１の下軸部２１ｂ（図５参照）に対応する位置に形成された第一挿通孔３１ａ、第一羽板２１の上軸部２１ｃ（図５参照）の移動軌跡に合せて形成された開口部３１ｂ、第二羽板２２の下軸部２２ｂ（図５参照）に対応する位置に形成された第二挿通孔３１ｃなどのほか、タッピンねじ３８ｄ，３８ｅ，３８ｆの下穴３１ｄ，３１ｅ，３１ｆなどを備えている。開口部３１ｂは、第一挿通孔３１ａの真上から斜め下方に向かって形成された円弧状の長孔であり、本実施形態では、第一羽板２１の傾動範囲を規制する役割も担っている。
【００４０】
軸芯ブッシュ３２は、第一挿通孔３１ａまたは第二挿通孔３１ｃに挿入される円筒部３２ａと、ベース３１の内面（カバー３７側の面）に係止されるフランジ３２ｂとを備えている。円筒部３２ａは、カバー３７側から第一挿通孔３１ａまたは第二挿通孔３１ｃに挿入され、図７の（ｃ）および（ｄ）に示すように、ベース３１の外面（パネル本体１側の面）から突出する。円筒部３２ａには、羽板２１の下軸部２１ｂ（または図５に示す羽板２２の下軸部２２ｂ）の端部が挿入される。なお、軸芯ブッシュ３２の材質に特に制限はないが、ポリアセタールなど自己潤滑性のある合成樹脂製とすることが望ましい。
【００４１】
図５に示す連結部材３３は、第一羽板２１，２１，…の上軸部２１ｃ，２１ｃ，…を連結するものであり、第一羽板２１，２１，…を連動して傾動させるための連動機構を形成している。より詳細に、本実施形態の連結部材３３は、上軸部２１ｃ，２１ｃ，…に対応して設けられた接続部３３ａ，３３ａ，…と、この接続部３３ａ，３３ａ，…を繋ぐように設けられた繋ぎ部３３ｂとを備えて構成されている。図６に示すように、接続部３３ａには、係合孔３３１が形成されている。なお、ストッパ３５に隣接する接続部３３ａ（以下、「ストッパ側接続部３３ａ」と称する。）については、その外周面の少なくとも一部（本実施形態では、上部からストッパ３５側の側部に至る部位）が円弧面に成形されている。また、ストッパ３５から最も遠い位置にある接続部３３ａに形成された係合孔３１１は、横長の長孔になっている。繋ぎ部３３ｂは、ベース３１の上縁に沿う方向に延在しており、接続部３３ａ，３３ａ，…の上部を繋いでいる。
【００４２】
連結ブッシュ３４は、連結部材３３の係合孔３３１とベース３１の開口部３１ｂとに挿入される円筒部３４ａと、連結部材３３の接続部３３ａに係止されるフランジ３４ｂとを備えている。円筒部３４ａは、カバー３７側から係合孔３３ｃと開口部３１ｂとに挿入される。円筒部３４ａには、第一羽板２１の上軸部２１ｃの端部が挿入される。なお、連結ブッシュ３４の材質に特に制限はないが、ポリアセタールなど自己潤滑性のある合成樹脂製とすることが望ましい。
【００４３】
図５に示すストッパ３５は、連結部材３３のストッパ側接続部３３ａに係合することで、連結部材３３の動きを規制し、もって複数の第一羽板２１，２１，…の傾動を一括して規制する。図６に示すように、本実施形態のストッパ３５は、透孔３５１が形成された基部３５ａと、この基部３５ａから連結部材３３に向かって張り出す係合部３５ｂと、この係合部３５ｂの上端部に形成されたレバー３５ｃとを備えて構成されていて、透孔３５１を中心にして上下に回動可能になっている。係合部３５ｂは、図８に示すように、ストッパ側接続部３３ａの外周面に当接する当接面３５２を具備している。当接面３５２は、ストッパ側接続部３３ａの外周面に形成された円弧面と略同径の円弧面を複数連設してなるものである。図６に示すように、ストッパ３５は、その透孔３５１に挿入されたブッシュ３５２とベース３１の下穴３１ｄに対してタッピンねじ３８ｄをねじ込むことで、回動可能な状態でベース３１に固定される（図７の（ｆ）参照）。なお、レバー３５ｃは、カバー３７の上部に設けた開口部から露出する。
【００４４】
付勢部材３６は、図８に示すように、ベース３１の端部とストッパ３５の上部との間に圧縮状態で配置されており、ストッパ３５の先端部を下方向に回転させるようなモーメントをストッパ３５に付与している。なお、ストッパ３５と付勢部材３６とによって、第一羽板２１の傾動を規制するストッパ機構が構成されている。
【００４５】
図５に示すカバー３７は、ベース３１に覆設されるものであり、ベース３１とともに、連動機構やストッパ機構を収容する収容空間を形成する。カバー３７は、アルミニウム合金製の押出形材を利用して形成されてものであり、図６に示すように、ベース３１の内面を覆う横長のカバー本体３７ａと、このカバー本体３７ａの上縁部および下縁部からベース３１側に向かって張り出す一対の張出部３７ｂ，３７ｂと、一対の張出部３７ｂ，３７ｂの間に形成された突条３７ｃとを備えて構成されている。また、カバー本体３７ａの内面の上部には、断面半円形を呈する溝条３７ｄが形成されている。なお、カバー３７は、カバー本体３７ａに設けた下穴３７ｅとベース３１の下穴３１ｅに対してタッピンねじ３８ｅをねじ込むことで、ベース３１に固定される（図７の（ｂ）参照）。
【００４６】
一対の張出部３７ｂ，３７ｂは、図７の（ａ）に示すように、互いに平行に設けられており、それぞれカバー３７の内面に当接する（図７の（ｄ）参照）。なお、上側の張出部３７ｂは、ストッパ３５のレバー３５ｃに対応する位置が切除されている。突条３７ｃは、複数の軸芯ブッシュ３２，３２，…を結ぶ直線に沿うように設けられており、その先端面が軸芯ブッシュ３２のフランジ３２ｂに当接する（図７の（ｃ）および（ｄ）参照）。つまり、ベース３１にカバー３７を組み付けると、ベース３１の内面とカバー３７の突条３７ｃとによって、軸芯ブッシュ３２，３２，…のフランジ３２ｂ，３２ｂ，…が一括して挟持されることになる。図６に示す溝条３７ｄは、付勢部材３６の高さ位置に合せて形成されていて、図示は省略するが、付勢部材３６の一部を収容する。
【００４７】
なお、床パネルＰを組み立てるには、例えば、図２に示すように、羽板２１，２２の両端部に支持部３，３を取り付けて、複数の風量調節部２，２，…を具備するユニットを形成し、その後、パネル本体１のリブ１２，１２の間に風量調節部２を入り込ませつつ、支持部３，３でパネル本体１を挟み込み、支持部３に設けた下穴３１ｆ，３７ｆ（図６参照）とパネル本体１の螺入溝１２ｄ（図３の（ｄ）参照）に対してタッピンねじ３８ｆ（図６参照）をねじ込んで、パネル本体１と支持部３とを固定すればよい。
【００４８】
以上のように構成された床パネルＰによれば、図３の（ｂ）〜（ｄ）に示すように、羽板２１，２２を傾動させるだけで、通気風量を調節することが可能となる。
【００４９】
しかも、本実施形態の床パネルＰによれば、図３の（ｂ）に示すように、羽板２１，２２を起立させた状態を風量調節部２の全開状態としているので、全開状態における空気の通流が風量調節部２の存在によって阻害され難く、したがって、通気風量（通気口１１ａを通過する空気量）の増大化を容易に図ることができる。特に本実施形態においては、羽板２１，２２の軸線Ｃ，Ｃを床部１１の開口縁部１１ｂの真下に位置させているので、起立させた状態（全開状態）の羽板２１，２２が通気口１１ａを挟んで対向するようになる。すなわち、床パネルＰにおいては、風量調節部２を全開状態としたときに、通気口１１ａの直下に羽板２１，２２が位置することがないので、風量調節部２の存在によって空気の通流が阻害されることがなく、全開状態における通気風量を床部１１の開口率に見合ったものにすることが可能となる。つまり、床パネルＰの最大通気風量（風量調節部２を全開状態としたときの通気風量）を、風量調節部２を具備していない床パネル（パネル本体１からなる床パネル）の通気風量と同程度にすることが可能となる。
【００５０】
なお、本実施形態においては、複数のリブ１２，１２，…で仕切られてなる複数の収納空間Ｖ，Ｖ，の各々に風量調節部２を配置しているので、複数の第一羽板２１，２１，…と複数の第二羽板２２，２２，…とが配置されることになるが、複数の第一羽板２１，２１，…および複数の第二羽板２２，２２，…をそれぞれ一括して傾動させることができるので、通気風量を簡易迅速に調節することが可能となる。
【００５１】
ちなみに、複数の第一羽板２１，２１，…を一括して傾動させるには、図５に示す一方の支持部３においてレバー３５ｃを引き上げて連結部材３３とストッパ３５との係合状態を解除したうえで、いずれか一つの第一羽板２１を適宜な方向に傾動させればよい。なお、レバー３５ｃを離せば、付勢部材３６の作用により、連結部材３３とストッパ３５とが再び係合し、第一羽板２１，２１，…が傾動不能な状態となる。図示は省略するが、第二羽板２２の場合も同様である。すなわち、他方の支持部３においてレバー３５ｃを引き上げて連結部材３３とストッパ３５との係合状態を解除しつつ、いずれか一つの第二羽板２２を適宜な方向に傾動させればよい。
【００５２】
また、図３の（ｂ）〜（ｄ）に示すように、本実施形態においては、一対のリブ１２，１２間に形成された収納空間Ｖに風量調節部２を収納したので、床パネルＰのパネル厚さを、風量調節部２を具備していない床パネルのパネル厚さと同等にすることが可能となる。つまり、床パネルＰによれば、風量調節部２の存在によって床下空間が狭まるようなことがないので、床下空間における空気の通流を悪化させることもない。
【００５３】
さらに、本実施形態においては、全閉状態としたときに羽板２１，２２の先端同士が接触するので（図３の（ｄ）参照）、両羽板２１，２２の間から漏気する空気量を削減することが可能となる。
【００５４】
なお、床パネルＰ上で作業等をする際には、作業員の足裏や各種工具・部品などが通気口１１ａから入り込む虞があるが、床パネルＰによれば、風量調節部２を全開状態としたときには、羽板２１，２２が床部１１の開口縁部１１ｂによって覆い隠され（図３の（ｂ）参照）、羽板２１，２２を傾倒させて半開・全閉状態としたときには、羽板２１，２２の上端部（上軸部２１ｃ，２２ｃ）が床部から離間することになるので、通気口から入り込んだ足裏や工具等が羽板２１，２２に接触することを防止することが可能となる。
【００５５】
また、本実施形態においては、羽板２１，２２の傾動範囲が、支持部３の円弧状の開口部３１ｂによって規制されているので、傾倒させた羽板２１，２２の先端部がパネル本体１の下側に回り込むようなことがなく、したがって、傾倒させた羽板２１，２２を容易に摘み上げることが可能となる。
【００５６】
なお、床パネルＰの構成は適宜変更しても差し支えない。
例えば、本実施形態では、下端部を中心に傾動する羽板２１，２２を備える床パネルＰを例示したが、図９の（ａ）および（ｂ）に示すように、上端部を中心に傾動（回動）する羽板２３，２４を備えるものであっても差し支えないし、図１０の（ａ）および（ｂ）に示すように、中央部を中心に傾動（回動）する羽板２５を備える床パネルＰであっても差し支えない。なお、羽板２５は、通気口１１ａの直下において起立するが（図１０の（ａ）参照）、空気の流れの向きと略平行であるので、空気の流れを阻害することはない。
【００５７】
本実施形態では、二枚の羽板２１，２２で一の風量調節部２を構成した場合を例示したが、一の風量調節部を構成する羽板の枚数を限定する趣旨ではない。例えば、図１０に示すように、一枚の羽板２５によって一の風量調節部を構成してもよいし、図示は省略するが、三枚以上の羽板を併設して一の風量調節部を構成してもよい。
【００５８】
本実施形態では、平板状の羽板２１，２２を例示したが、羽板２１，２２の形状を限定する趣旨ではない。図１１の（ａ）および（ｂ）に示すように、断面円弧状を呈する羽板２６，２７であっても差し支えない。このようにすると、羽板２６，２７の剛性が高まることになる。なお、羽板２６，２７は、全閉状態にしたときに下に凸となるように湾曲していて（図１１の（ｂ）参照）、全開状態にすると、凸面同士が対向する（図１１の（ａ）参照）。また、図示は省略するが、断面く字状を呈する羽板であっても差し支えない。
【００５９】
本実施形態では、羽板２１，２２を直接操作する構成を例示したが、図１２の（ａ）および（ｂ）に示すように、支持部３の一部を切除するなどして連結部材３３の一部を支持部３の外面に露出させ、連結部材３３を介して間接的に羽板を操作するようにしてもよい。この場合には、連結部材３３にレバー３３ｃを設けておき、このレバー３３ｃを支持部３の外面に露出させるとよい。このようにすると、連結部材３３の操作を簡易迅速に行なうことが可能となる。なお、図１２の（ａ）の支持部３においては、連結部材３３の上部に設けたレバー３３ｃを支持部３の上面に露出させている。また、図１２の（ｂ）の支持部３においては、連結部材３３の繋ぎ部３３ｂの下部に設けたレバー３３ｃを、支持部３の側面に形成した開口部３７ｅから露出させている。開口部３７ｅは、レバー３３ｃの軌跡に合せて形成された長孔であり、円弧状を呈している。
【００６０】
本実施形態では、複数の羽板２１，２１，…を連動して傾動させることが可能な床パネルＰを例示したが、連結部材３３などを省略して、各羽板２１を独立して傾動させることが可能な床パネルとしても勿論差し支えない。
【００６１】
本実施形態では、羽板２１，２２の傾動の中心である軸線Ｃ，Ｃがパネル本体１の長手方向（押出方向）に延びている場合を例示したが、軸線Ｃの向きを限定する趣旨ではない。図示は省略するが、パネル本体１の短手方向の両端部に支持部を設け、パネル本体１の短手方向に延びる軸線（すなわち、リブ１２と交差する方向に延びる軸線）を中心に羽板を傾動させても勿論差し支えない。
【００６２】
本実施形態では、風量調節部２の全部が収納空間Ｖに収納されている場合を例示したが（図３の（ｂ）参照）、これに限定されることはなく、風量調節部２の一部を収納空間Ｖに収納し、残部を収納空間Ｖから突出させてもよいし、リブ１２の高さ寸法が小さい場合などにおいては、リブ１２の下側に風量調節部２を配置してもよい。
【００６３】
また、図示は省略するが、床部１１のみで必要な強度を得ることができる場合などにおいては、リブ１２を省略しても差し支えない。すなわち、リブを具備しないパネル本体に風量調節部２を組み合わせても差し支えない。
【図面の簡単な説明】
【００６４】
【図１】本発明の実施形態に係る床パネルを使用した二重床を示す斜視図である。
【図２】本発明の実施形態に係る床パネルの分解斜視図である。
【図３】本発明の実施形態に係る床パネルを説明する図であって、（ａ）は風量調節部を全開状態にしたときの床パネルの平面図、（ｂ）は（ａ）のＡ−Ａ断面図、（ｃ）は風量調節部を半開状態にしたときの床パネルの断面図、（ｄ）は風量調節部を全閉状態にしたときの床パネルの断面図である。
【図４】（ａ）は羽板の正面図、（ｂ）は（ａ）のＢ１−Ｂ１断面図、（ｃ）は（ａ）のＢ２−Ｂ２断面図、（ｄ）は（ａ）のＢ３−Ｂ３断面図である。
【図５】支持部の構成を説明するための分解斜視図である。
【図６】支持部の構成をより詳細に説明するための分解斜視図である。
【図７】（ａ）は支持部の正面図、（ｂ）は（ａ）のＤ１−Ｄ１断面図、（ｃ）は（ａ）のＤ２−Ｄ２断面図、（ｄ）は（ａ）のＤ３−Ｄ３断面図、（ｅ）は（ａ）のＤ４−Ｄ４断面図、（ｆ）は（ａ）のＤ５−Ｄ５断面図、
【図８】ストッパ機構の構成を説明するための拡大図である。
【図９】（ａ）および（ｂ）は風量調節部の変形例を示す断面図である。
【図１０】（ａ）および（ｂ）は風量調節部の他の変形例を示す断面図である。
【図１１】（ａ）および（ｂ）は風量調節部のさらに他の変形例を示す断面図である。
【図１２】（ａ）は支持部の変形例を示す図、（ｂ）は支持部の他の変形例を示す図である。
【符号の説明】
【００６５】
Ｐ      床パネル
１      パネル本体
１１    床部
１１ａ  通気口
１２    リブ
２      風量調節部
２１    羽板（第一羽板）
２２    羽板（第二羽板）
３      支持部
Ｃ      軸線
【図１】
2009007855.tif 000003
【図２】
2009007855.tif 000004
【図３】
2009007855.tif 000005
【図４】
2009007855.tif 000006
【図５】
2009007855.tif 000007
【図６】
2009007855.tif 000008
【図７】
2009007855.tif 000009
【図８】
2009007855.tif 000010
【図９】
2009007855.tif 000011
【図１０】
2009007855.tif 000012
【図１１】
2009007855.tif 000013
【図１２】
2009007855.tif 000014